(57)【要約】【課題】ハーネス型安全帯の胸ベルトの装着状態を外部から確認することができる衣服を提供すること。【解決手段】着用者１００の背中を覆う上衣背面部２１に、通気性を有する生地によって形成された通気領域２５が設けられた上衣本体２０と、通気領域２５よりも通気性が低い生地によって形成されると共に、少なくとも上衣本体２０の通気領域２５を覆う上衣カバー３０と、を備えている。そして、上衣カバー３０は、後身頃３１に、着用者１００が装着した安全帯１０１の一部を挿通可能な開口部３４と、送風機を取り付け可能な取付孔３５と、が形成されている。さらに、上衣カバー３０の左前身頃３２Ａの前立て部３２ａと右前身頃３２Ｂの前立て部３２ｂとの間には、着用者１００の胸部を覆う上衣本体２０の上衣胸部２７を露出する露出部３２Ｃが設けられている。【選択図】図５
2020056134.tif 000002
【特許請求の範囲】
【請求項１】
着用者の背中を覆う上衣背面部に、通気性を有する生地によって形成された通気領域を有する上衣本体と、
前記通気領域よりも通気性が低い生地によって形成されると共に、少なくとも前記上衣本体の前記通気領域を覆う上衣カバーと、を備え、
前記上衣カバーは、後身頃に、前記着用者が装着した安全帯の一部を挿通可能な開口部と、送風機を取り付け可能な取付孔と、が形成され、左前身頃の前立て部と右前身頃の前立て部との間に、前記着用者の胸部を覆う前記上衣本体の上衣胸部を露出する露出部が設けられている
ことを特徴とする衣服。
【請求項２】
請求項１に記載された衣服において、
前記上衣本体は、前記上衣胸部を避けた位置に第１固定部が設けられ、
前記上衣カバーは、前記前立て部に、前記第１固定部に対して着脱可能に固定される第２固定部が設けられた
ことを特徴とする衣服。
【請求項３】
請求項１又は請求項２に記載された衣服において、
前記上衣カバーは、前記前立て部に、身丈方向に沿って伸縮可能な第１伸縮部を有する
ことを特徴とする衣服。
【請求項４】
請求項１から請求項３のいずれか一項に記載された衣服において、
前記上衣カバーは、前記後身頃の裾に、身幅方向に沿って伸縮可能な第２伸縮部を有する
ことを特徴とする衣服。
【発明の詳細な説明】
【技術分野】
【０００１】
本発明は、送風機を装着可能な衣服に関するものである。
【背景技術】
【０００２】
高所作業現場において、作業者は、落下防止のために安全帯を装着することが義務付けられている。また、この安全帯としては、着用者の腰回りに巻きつけるだけの簡易的な「胴ベルト式安全帯」と、着用者の両肩にそれぞれ肩掛けベルトを巻き付け、両脚の付け根に股掛けベルトをそれぞれ巻き付けると共に、胸ベルトを介して肩掛けベルトを胸部の前面で連結する「ハーネス型安全帯」に大別される。ここで、ハーネス型安全帯は、着用者の身体を複数の箇所で支えるので、落下時の落下衝撃力を分散させることができる。しかしながら、このハーネス型安全帯は、着用者の両肩と両脚の付け根にそれぞれベルトが巻き付けられる上、胸ベルトで肩掛けベルトを連結する必要がある。そのため、送風機を取り付けて、この送風機によって発生した風を服内部に通過させる衣服の上からハーネス型安全帯を装着すると、安全帯によって服内部の気流が妨げられてしまい、服内の涼しさを保つことが難しい。
【０００３】
そこで、ハーネス型安全帯を装着した上から送風機付きの衣服を着用できるよう、後身頃の中央部に安全帯のロープを通すことができるような開口孔を設けた衣服が知られている（例えば、特許文献１及び特許文献２参照）。
【先行技術文献】
【特許文献】
【０００４】
【特許文献１】実用新案登録第３１９８７７８号
【特許文献２】特開２０１８−２１２８９号
【発明の概要】
【発明が解決しようとする課題】
【０００５】
しかしながら、従来の衣服では、ハーネス型安全帯を装着した上から衣服を着用し、送風機によって発生した風がハーネス型安全帯と衣服の間を通るようになっている。つまり、ハーネス型安全帯は、衣服によって全体が覆われてしまう。そのため、ハーネス型安全帯の胸ベルトを接続する留め具がロックされているか否かを外部から視認して確認できないという問題が生じていた。すなわち、もし仮に、ハーネス型安全帯の着用者が留め具をロックせずに高所作業現場に出た場合、着用者が高所から落下した際に、ハーネス型安全帯が着用者の身体から外れる恐れがあるため、これを未然に防止するためにも、外部から現場監督や他の作業員が留め具のロック状態を視認できるようにしておく必要がある。
【０００６】
本発明は、上記問題に着目してなされたもので、ハーネス型安全帯の胸ベルトの装着状態を外部から確認することができる衣服を提供することを目的とする。
【課題を解決するための手段】
【０００７】
上記目的を達成するため、本発明の衣服は、着用者の背中を覆う上衣背面部に、通気性を有する生地によって形成された通気領域が設けられた上衣本体と、通気領域よりも通気性が低い生地によって形成されると共に、少なくとも上衣本体の通気領域を覆う上衣カバーと、を備えている。そして、上衣カバーは、後身頃に、着用者が装着した安全帯の一部を挿通可能な開口部と、送風機を取り付け可能な取付孔と、が形成されている。さらに、上衣カバーの左前身頃の前立て部と、右前身頃の前立て部との間には、着用者の胸部を覆う上衣本体の上衣胸部を露出する露出部が設けられている。
【発明の効果】
【０００８】
これにより、本発明の衣服では、上衣本体を着用した状態でハーネス型安全帯を装着し、その上から上衣カバーで上衣本体を覆っても、安全帯の一部（ワイヤー等）を上衣カバーに形成した開口部から引き出すことができる。そのため、上衣カバーが安全帯の装着の妨げになることがない。一方、上衣カバーに取り付けた送風機からの風は、上衣カバーと上衣本体との間を流れるが、上衣本体の上衣背面部には通気領域が形成されており、この通気領域を介して上衣本体の内部の湿気を気化することが可能である。そのため、送風機による冷却効果を確保することができる。さらに、上衣カバーの左右前身頃は、各前立て部の間に上衣本体の上衣胸部を露出する露出部が設けられているので、上衣胸部が上衣カバーで覆われることを防止できる。ここで、ハーネス型安全帯の胸ベルトは、一般的に着用者の胸部の前側で留め具を介して接続される。つまり、留め具は、上衣本体の上衣胸部の前側に位置する。よって、この留め具を外部から視認することが可能となり、ハーネス型安全帯の胸ベルトの装着状態を外部から確認することができる。
【図面の簡単な説明】
【０００９】
【図１】実施例の衣服を示す正面図である。
【図２】実施例の衣服を示す背面図である。
【図３】実施例の上衣本体の正面図である。
【図４】実施例の上衣本体の背面図である。
【図５】実施例の衣服及びハーネス型安全帯を装着した着用者を示す正面図である。
【発明を実施するための形態】
【００１０】
以下、本発明の衣服を実施するための形態を、図面に示す実施例に基づいて説明する。
【００１１】
（実施例１）
以下、図１から図４に基づいて、実施例における衣服の構成を説明する。
【００１２】
実施例１の衣服１０は、図１及び図２に示すように、着用者１００が上半身に着る上着（ジャンパー）である。この衣服１０は、着用者１００がハーネス型安全帯（以下、「安全帯」という）１０１（図５参照）を装着した際、この安全帯１０１の下に着用する上衣本体２０と、安全帯１０１の上から上衣本体２０を覆う上衣カバー３０と、を備えている。
【００１３】
上衣本体２０は、図３及び図４に示すように、着用者１００の背中を覆う上衣背面部２１と、着用者１００の胴体前面（胸部及び腹部）を覆う上衣前面部２２と、着用者１００の腕を覆う一対の袖２３、２３と、襟２４と、を一体的に有している。
【００１４】
上衣背面部２１は、図４に示すように、襟２４との境界から着用者１００の背中上部、肩、脇を覆う領域に、通気性を有する生地によって形成された通気領域２５が設けられている。ここで、「通気性を有する生地」とは、上衣本体２０のうち、通気領域２５以外の領域（以下、「一般領域」という）に比べて通気性が高いもので、例えば網目状のメッシュ素材によって形成された生地である。一方、一般領域（裾２１ｅや、着用者１００の背中下部や脇腹を覆う領域等）は、綿や化繊等で織られた布、不織布等の生地によって形成されている。一般領域を形成する生地は、伸縮性や、吸水性、難燃性等の任意の性質を有していてもよい。なお、通気性を有する生地によって上衣背面部２１の全面を形成し、この上衣背面部２１の全面を通気領域２５としてもよい。また、この上衣背面部２１は、裾２１ｅの全域にゴムが設けられ、裾２１ｅは身幅方向に伸縮可能になっている。さらに、上衣背面部２１の上端部中央には、雄型スナップボタン２６が一つ設けられている。
【００１５】
上衣前面部２２は、上衣本体２０の一般領域と同一の生地によって全体が形成され、図３に示すように、身幅方向の中央から左右に分かれる左前身頃２２ａ及び右前身頃２２ｂと、スライドファスナー２２ｃと、一対の胸ポケット２２ｄ、２２ｄと、を備えている。ここで、左前身頃２２ａと右前身頃２２ｂは、スライドファスナー２２ｃによって開閉自在に係止される。また、胸ポケット２２ｄは、左前身頃２２ａ及び右前身頃２２ｂの表面上部にそれぞれ設けられ、着用者１００の胸部を覆う上衣胸部２７（図３の一点鎖線で囲む領域）に位置している。さらに、上衣前面部２２の裾２２ｅにはゴムが設けられ、裾２２ｅは身幅方向に伸縮可能になっている。
【００１６】
そして、この上衣前面部２２は、左前身頃２２ａと襟２４との境界近傍位置、左前身頃２２ａと袖２３との境界近傍位置、右前身頃２２ｂと襟２４との境界近傍位置、右前身頃２２ｂと袖２３との境界近傍位置の四か所のそれぞれに、雄型スナップボタン２６（第１固定部）が設けられている。ここで、各雄型スナップボタン２６は、上衣胸部２７の周囲に位置し、上衣胸部２７を避けた位置に設けられている。
【００１７】
さらに、上衣前面部２２は、左前身頃２２ａ及び右前身頃２２ｂの表面の下部に、ループ側面ファスナー２８が設けられている。ループ側面ファスナー２８は、身幅方向に長い矩形形状を呈している。また、左前身頃２２ａ及び右前身頃２２ｂのいずれか一方の内側には、図示しない送風機バッテリーを入れるためのポケット（不図示）が形成されている。
【００１８】
袖２３は、ここでは半袖であり、通気領域２５と同一の通気性を有する生地によって、全体が形成されている。なお、袖２３は、一般領域や上衣前面部２２を同一の生地によって形成されてもよい。さらに、長袖であってもよい。
【００１９】
襟２４は、上衣本体２０の一般領域や上衣前面部２２と同一の生地によって全体が形成されている。なお、襟２４は、通気領域２５と同一の通気性を有する生地によって形成されてもよい。
【００２０】
上衣カバー３０は、図１及び図２に示すように、通気領域２５を含めて上衣背面部２１の全面を覆う後身頃３１と、左前身頃３２Ａと、右前身頃３２Ｂと、一対の袖２３、２３をそれぞれ覆う袖３３、３３と、を一体的に有している。この上衣カバー３０は、上衣本体２０の通気領域２５や一般領域を形成する生地よりも通気性が低く、気密性を有する生地によって全体が形成されている。なお、「気密性を有する生地」とは、ナイロンやポリエステル等で形成され、空気の流通を妨げる生地である。
【００２１】
後身頃３１は、図２に示すように、上部中央位置に開口部３４が形成されている。この開口部３４は、着用者１００が装着した安全帯１０１の一部（図示しないワイヤー）を挿通可能な開口である。この開口部３４は、フラップ３４ａによって覆われており、外部からは視認できない。また、後身頃３１の下部には、送風機（不図示）を取り付け可能な一対の取付孔３５、３５が形成されている。各取付孔３５の開口縁部は、バイアステープ３５ａによって補強されている。後身頃３１の裾３１ｅにはゴムが設けられ、身幅方向に沿って伸縮可能な第２伸縮部３６ｂが形成されている。さらに、後身頃３１の内側面には、送風機（不図示）から延びるコード（不図示）を保持する一対のコード保持部３７、３７が設けられている。各コード保持部３７は、身丈方向に開閉する面テープによって形成され、一対の取付孔３５、３５の間に位置している。そして、後身頃３１の上端部中央には、上衣背面部２１に設けられた雄型スナップボタン２６に着脱可能に固定される雌型スナップボタン３８が設けられている。
【００２２】
左前身頃３２Ａは、図１に示すように、上衣前面部２２の左前身頃２２ａの脇部分を覆い、前立て部３２ａが上衣本体２０の上衣胸部２７に重ならない位置に固定されている。つまり、左前身頃３２Ａの前立て部３２ａは、上端位置と、袖３３の側方位置の二か所のそれぞれに雌型スナップボタン３８（第２固定部）が設けられている。この雌型スナップボタン３８は、上衣前面部２２の左前身頃２２ａに設けられた雄型スナップボタン２６に着脱可能に固定される。
【００２３】
右前身頃３２Ｂは、図１に示すように、上衣前面部２２の右前身頃２２ｂの脇部分を覆い、前立て部３２ｂが上衣本体２０の上衣胸部２７に重ならない位置に固定されている。つまり、右前身頃３２Ｂの前立て部３２ｂは、上端位置と、袖３３の側方位置の二か所のそれぞれに雌型スナップボタン３８（第２固定部）が設けられている。この雌型スナップボタン３８は、上衣前面部２２の右前身頃２２ｂに設けられた雄型スナップボタン２６に着脱可能に固定される。
【００２４】
そして、この上衣カバー３０は、左右前身頃３２Ａ、３２Ｂが、それぞれの前立て部３２ａ、３２ｂが重ならないボレロ形状を呈している。さらに、各前立て部３２ａ、３２ｂの上端部は、それぞれ上衣前面部２２の身幅方向の中央に向かって湾曲し、上衣胸部２７を囲んでいる。すなわち、この左右前身頃３２Ａ、３２Ｂの前立て部３２ａ、３２ｂの間には、上衣本体２０の上衣胸部２７を露出する露出部３２Ｃが設けられている。そして、上衣前面部２２に設けられた雄型スナップボタン２６が上衣胸部２７を避けた位置に設けられていることにより、左右前身頃３２Ａ、３２Ｂの各前立て部３２ａ、３２ｂは、それぞれ上衣本体２０の上衣胸部２７を避けた位置に固定される。
【００２５】
また、各前立て部３２ａ、３２ｂの下端部には、それぞれ身幅方向中央に向かって突出したベルトテープ３９が形成されている。各ベルトテープ３９の内側面（上衣本体２０に対向する面）には、ループ側面ファスナー２８に着脱可能に貼着されるフック側面ファスナー３９ａが設けられている。さらに、各前立て部３２ａ、３２ｂは、それぞれ下側の雌型スナップボタン３８とベルトテープ３９との間の領域にゴムが取り付けられ、身丈方向に沿って伸縮可能な第１伸縮部３６ａが形成されている。
【００２６】
袖３３は、ここでは長袖であり、上衣本体２０の袖２３を容易に挿入できる太さを有している。
【００２７】
以下、実施例１の衣服１０の作用を説明する。
実施例１の衣服１０は、図５に示すように、着用者１００が上衣本体２０を着用した上から安全帯１０１を装着し、安全帯１０１を装着した状態で、この安全帯１０１の上から上衣カバー３０を着用するものである。
【００２８】
すなわち、この衣服１０を着用するときには、まず、着用者１００は、上衣本体２０のスライドファスナー２２ｃを開き、左右前身頃２２ａ、２２ｂを開ける。左右前身頃２２ａ、２２ｂを開けたら、袖２３、２３にそれぞれ腕を通して上衣本体２０を着る。上衣本体２０を着たら、スライドファスナー２２ｃを閉じ、左右前身頃２２ａ、２２ｂを閉める。
【００２９】
上衣本体２０を着用したら、続いて、その上から安全帯１０１を装着する。つまり、まず、一対の腿ベルト１０５、１０５をそれぞれ両脚の付け根に巻き付けて固定する。次に、一対の肩ベルト１０２、１０２に両腕を通して各肩ベルト１０２を肩に巻き付ける。そして、留め具１０３ａを接続し、一対の肩ベルト１０２、１０２から延びる胸ベルト１０３を接続する。さらに、胴ベルト１０４をバックル１０４ａに通し、長さを調節する。
【００３０】
ここで、胸ベルト１０３は、着用者１００の胸部の前側で留め具１０３ａを介して接続される。すなわち、留め具１０３ａは、上衣本体２０の上衣胸部２７の上に重なる。
【００３１】
安全帯１０１を装着したら、その上から上衣カバー３０を着用する。つまり、着用者１００は、上衣カバー３０の袖３３、３３にそれぞれ腕を通し、上衣カバー３０を着る。ここで、上衣カバー３０は、左右前身頃３２Ａ、３２Ｂの前立て部３２ａ、３２ｂが重ならないボレロ形状であり、前立て部３２ａ、３２ｂの間に露出部３２Ｃが形成されて前側が大きく開いている。そのため、着用者１００は、安全帯１０１を装着した状態であっても、上衣カバー３０を容易に着ることができる。
【００３２】
上衣カバー３０を着たら、この上衣カバー３０の首回り部分を、上衣本体２０の襟２４の下に差し込む。そして、後身頃３１に設けられた雌型スナップボタン３８を、上衣本体２０の上衣背面部２１に設けられた雄型スナップボタン２６に固定する。
【００３３】
続いて、上衣カバー３０の左右前身頃３２Ａ、３２Ｂに設けられた雌型スナップボタン３８を、上衣本体２０の上衣前面部２２に設けられた雄型スナップボタン２６に固定する。これにより、上衣カバー３０の首回り部分の前立て部３２ａ、３２ｂが捲れることがなくなり、上衣本体２０と上衣カバー３０の隙間が開くことを防止できる。
【００３４】
さらに、上衣カバー３０では、左右前身頃３２Ａ、３２Ｂの各前立て部３２ａ、３２ｂの下端部に形成されたベルトテープ３９を上衣本体２０に押し付け、フック側面ファスナー３９ａをループ側面ファスナー２８に貼着する。これにより、上衣カバー３０の左右前身頃３２Ａ、３２Ｂの裾３２ｄが捲れることがなくなり、上衣本体２０と上衣カバー３０の隙間が開くことを防止できる。
【００３５】
そして、上衣カバー３０を着用したら、この上衣カバー３０の後身頃３１に形成された開口部３４から、安全帯１０１の背部に連結されたワイヤー（不図示）を引き出す。また、上衣カバー３０の後身頃３１に形成された一対の取付孔３５、３５に、それぞれ送風機（不図示）を取り付ける。これにより、ハーネス型安全帯１０１を装着した状態であっても、この安全帯１０１を取り外すことなく、服内部に送風可能な衣服１０を身に着けることができる。
【００３６】
また、送風機から送られた風は、上衣カバー３０と上衣本体２０の間を流れていく。ここで、上衣背面部２１には通気性を有する通気領域２５が形成され、この通気領域２５は上衣カバー３０によって覆われている。一方、安全帯１０１は、上衣本体２０の上から装着されており、上衣カバー３０と上衣本体２０の間に配置される。そのため、送風機からの風の流れが安全帯１０１によって阻害されることがなく、上衣カバー３０と上衣本体２０の間を流れる風により、通気領域２５を介して上衣本体２０の内部の湿気を気化することが可能である。すなわち、安全帯１０１を装着した状態であっても、送風機による冷却効果を確保することができる。
【００３７】
さらに、上衣カバー３０の左右前身頃３２Ａ、３２Ｂは、前立て部３２ａ、３２ｂが重ならないボレロ形状を呈しており、この前立て部３２ａ、３２ｂの間には、上衣本体２０の上衣胸部２７を露出する露出部３２Ｃが設けられている。そのため、図５に示すように、上衣胸部２７が上衣カバー３０によって覆われることがなく、上衣胸部２７の上に重なった胸ベルト１０３の留め具１０３ａが上衣カバー３０に覆われることを防止できる。これにより、留め具１０３ａを外部から視認することが可能となり、安全帯１０１の胸ベルト１０３の装着状態を外部から確認することができる。
【００３８】
また、この実施例１では、上衣本体２０の上衣前面部２２のうち、上衣胸部２７を避けた位置に雄型スナップボタン２６が設けられている。一方、上衣カバー３０の左前身頃３２Ａの前立て部３２ａ及び右前身頃３２Ｂの前立て部３２ｂには、雄型スナップボタン２６に対して着脱可能に固定される雌型スナップボタン３８が設けられている。そのため、雄型スナップボタン２６に雌型スナップボタン３８を固定することで、上衣カバー３０の左右前身頃３２Ａ、３２Ｂは、上衣胸部２７に重なることなく前立て部３２ａ、３２ｂが上衣本体２０に固定される。これにより、前立て部３２ａ、３２ｂが捲れることを防止でき、上衣カバー３０と上衣本体２０の間を流れる風が不要な場所から抜けていくことを抑えることができる。また、送風機による冷却効果の向上を図ることができる。
【００３９】
また、実施例１では、上衣カバー３０の左右前身頃３２Ａ、３２Ｂの前立て部３２ａ、３２ｂに、身丈方向に沿って伸縮可能な第１伸縮部３６ａが形成されている。そのため、前立て部３２ａ、３２ｂが上衣本体２０の表面から浮き上がってしまうことを防止でき、上衣カバー３０と上衣本体２０の間に隙間が生じることを防ぐことができる。これにより、上衣カバー３０と上衣本体２０の間を流れる風が不要な場所から抜けていくことを抑えることができ、送風機による冷却効果の向上を図ることができる。
【００４０】
なお、この実施例１では、上衣カバー３０の左右前身頃３２Ａ、３２Ｂが、下端部にベルトテープ３９を有しており、このベルトテープ３９に設けたフック側面ファスナー３９ａが上衣本体２０に設けられたループ側面ファスナー２８に貼着される。これにより、左右前身頃３２Ａ、３２Ｂの裾３２ｄが捲れることが防止され、上衣カバー３０と上衣本体２０の間に隙間が生じることを防ぐことができる。これにより、上衣カバー３０と上衣本体２０の間を流れる風が不要な場所から抜けていくことを抑えることができ、送風機による冷却効果の向上を図ることができる。
【００４１】
さらに、実施例１では、上衣カバー３０の後身頃３１の裾３１ｂに、身幅方向に沿って伸縮可能な第２伸縮部３６ｂを有している。そのため、後身頃３１の裾３１ｂが上衣本体２０の表面から浮き上がってしまうことを防止でき、上衣カバー３０と上衣本体２０の間に隙間が生じることを防ぐことができる。これにより、上衣カバー３０と上衣本体２０の間を流れる風が不要な場所から抜けていくことを抑えることができ、送風機による冷却効果の向上を図ることができる。
【００４２】
なお、この実施例１では、上衣カバー３０の後身頃３１の内面に、送風機から延びるコードを保持するコード保持部３７が設けられている。そのため、送風機を取付孔３５に取り付けた際、コードをコード保持部３７に挟み込むことで、コードが垂れ下がることを防止できる。
【００４３】
さらに、実施例１では、上衣カバー３０の後身頃３１に、開口部３４を覆うフラップ３４ａが設けられている。そのため、送風機からの風が開口部３４を介して外部に流れ出ることを抑制することができる。
【００４４】
以上、本発明の衣服１０を実施例１に基づき説明してきたが、具体的な構成については、この実施例に限られるものではなく、特許請求の範囲の各請求項に係る発明の要旨を逸脱しない限り、設計の変更や追加等は許容される。
【００４５】
実施例１では、上衣カバー３０の左右前身頃３２Ａ、３２Ｂの前立て部３２ａ、３２ｂが、それぞれ上衣本体２０の上衣前面部２２に固定される例を示したが、これに限らない。上衣カバー３０は、少なくとも上衣本体２０の上衣背面部２１に形成された通気領域２５を覆っていればよい。例えば、左右前身頃３２Ａ、３２Ｂの前立て部３２ａ、３２ｂが上衣背面部２１と上衣前面部２２の境界位置に固定されていてもよい。さらに、上衣カバー３０の左右前身頃３２Ａ、３２Ｂが、ボタン等で開閉自在に係止されてもよい。この場合、上衣本体２０の上衣胸部２７に重なる領域には、上衣胸部２７を露出する窓（切り欠き）が形成され、左右前身頃３２Ａ、３２Ｂの前立て部３２ａ、３２ｂの間に露出部３２Ｃが形成されていればよい。
【００４６】
また、実施例１では、上衣カバー３０の袖３３は長袖であるが、これに限らない。半袖であってもよいし、袖３３を設けないノースリーブ型であってもよい。
【００４７】
実施例１では、上衣カバー３０を上衣本体２０に固定する第１、第２固定部として、雄型スナップボタン２６と雌型スナップボタン３８を用いる例を示したが、上衣カバー３０を固定できればよいのでこれに限らない。例えば、ボタンとボタンホールや、面ファスナー、ホック、マグネットボタン、スライドファスナー等であってもよい。また、前立て部３２ａ、３２ｂのうち、任意の位置を固定することができる。
【００４８】
また、実施例１では、上衣本体２０を、上衣背面部２１の裾２１ｅ及び上衣前面部２２の裾２２ｅにゴムが設けられて、身幅方向に伸縮可能としていわゆるブルゾンとした例を示したがこれに限らない。例えば、上衣本体２０は、左右の前身頃をボタンで留めるシャツであってもよいし、前身頃が開いていないＴシャツタイプのシャツであってもよい。
【符号の説明】
【００４９】
１０      衣服
２０      上衣本体
２１      上衣背面部
２５      通気領域
２６      雄型スナップボタン（第１固定部）
２７      上衣胸部
３０      上衣カバー
３１      後身頃
３２Ａ    左前身頃
３２ａ    前立て部
３２Ｂ    右前身頃
３２ｂ    前立て部
３２Ｃ    露出部
３２ｄ    裾
３４      開口部
３４ａ    フラップ
３５      取付孔
３６ａ    第１伸縮部
３６ｂ    第２伸縮部
３８      雌型スナップボタン（第２固定部）
１００    着用者
１０１    ハーネス型安全帯（安全帯）
１０２    肩ベルト
１０３    胸ベルト
１０３ａ  留め具
１０４    胴ベルト
１０５    腿ベルト
【図１】
2020056134.tif 000003
【図２】
2020056134.tif 000004
【図３】
2020056134.tif 000005
【図４】
2020056134.tif 000006
【図５】
2020056134.tif 000007